(57)【要約】  チャンネルアクセス効率及び節電能力の両方を改善するために、より多くの節電マルチポール（ＭＰＳＭＰ）指示解決策を提供するシステムと方法のさまざまな実施形態。一実施形態において、各アドレス目的地について、ＰＳＭＰフレーム３１０ａ（マルチポールフレーム）はクライアント局２１０がトラフィックを受信する期間（ダウンリンク期間又はＤＬＴ）と、このクライアント局２１０が送信できる（アップリンク又はＵＬＴ）期間を提供する。任意の他の時間に、それらのクライアント局２１０は次のＰＳＭＰが到着するまで節電状態となり節電することができる。アップリンク期間は特定の効率上の理由からダウンリンク期間の後に計画される。ＭＰＳＭＰ指示方法の一実施形態は、現在のＰＳＭＰフレームに記述されたように、ＭＰＳＭＰ指示によってＰＳＭＰフレーム３１０ａに他のＰＳＭＰフレーム３１０ｂがアップリンク期間とダウンリンク期間との終りに続く（又は計画する）かどうかを指示することを可能にする。ＭＰＳＭＰが設定されるならば、クライアント局２１０は、このＰＳＭＰ３１０ａの計画されたアップリンク期間及びダウンリンク期間の後、直ちに起動されて次のＰＳＭＰ３１０ｂを受信することを知る。【特許請求の範囲】
【請求項１】
第１の節電マルチポール（ＰＳＭＰ）フレームを受信するように構成されたプロセッサーと、を含む、装置であって、
前記第１のＰＳＭＰフレームは、
結合するクライアント局がネットワーク中で起動してもよい期間と、
前記期間の終りに後続のＰＳＭＰフレームが続くかどうかを示す、より多くのＰＳＭＰ指示と、を含む、
装置。
【請求項２】
前記より多くのＰＳＭＰ指示が設定された場合、前記プロセッサーが期間の終りに前記後続のフレームを受信する準備をする、請求項１に記載の装置。
【請求項３】
前記装置が、ラジオ、コンピュータ、マルチメディアプレーヤー、携帯個人情報端末、プリンター、ファックス機械、スキャナー、ハブ、スイッチ、ルーター、セットトップボックス、及び、テレビジョンの内の１つである、請求項１に記載の装置。
【請求項４】
前記第１のＰＳＭＰフレームがいくつかのクライアント局のための起動時間を指示し、前記より多くのＰＳＭＰビットが設定された場合、各個々の起動時間の後に他のＰＳＭＰは存在せず、最終起動時間後にのみ存在する、請求項１に記載の装置。
【請求項５】
第１の節電マルチポール（ＰＳＭＰ）フレームを受信し、
前記第１のＰＳＭＰフレームから、
結合するクライアント局がネットワーク中で起動してもよい期間の指示と、
前記期間の終りに後続のＰＳＭＰフレームが続くかどうかを示す、より多くのＰＳＭＰ指示と、を決定する、
ことを含む、方法。
【請求項６】
前記ＰＳＭＰから前記より多くのＰＳＭＰ指示が決定された場合、前記期間の終りに前記後続のフレームの受信を準備する、ことを更に含む、請求項５に記載の方法。
【請求項７】
前記後続のＰＳＭＰフレームが最終フレームであるかどうかを決定する、ことを更に含む、請求項５に記載の方法。
【請求項８】
指示された送信期間中送信する、指示された受信期間中受信する、及び、指示された送受信期間中送受信する、ことの内の１つ以上を更に含む、請求項５に記載の方法。
【請求項９】
第１の節電マルチポール（ＰＳＭＰ）フレームを受信するための手段と、
前記第１のＰＳＭＰフレームから、
クライアント局がネットワーク中に起動することのできる期間の指示と、
前記期間の終りに後続のＰＳＭＰフレームが続くかどうかを示す、より多くのＰＳＭＰ指示と、を決定する手段と、
を含む、システム。
【請求項１０】
前記ＰＳＭＰから前記より多くのＰＳＭＰ指示が決定された場合、前記期間の終りに前記後続のフレームの受信を準備する手段と、を更に含む、請求項９に記載のシステム。
【発明の詳細な説明】
【技術分野】
【０００１】
相互参照文献
本願は「より多くのＰＳＭＰ指示」の名称で２００５年１２月２０日出願された共願中の米国仮出願番号第６０／７５２，２９１号の優先権を主張するものであり、その全体は参照により本願に援用されている。
【０００２】
本開示は全体的にローカルエリアネットワークに関し、更に詳細には無線ローカルエリアネットワーク（ＷＬＡＮ）における送受信のシステム及び方法に関する。
【背景技術】
【０００３】
通信ネットワークは様々な形態をとる。良く知られているネットワークは、有線及び無線を含む。有線ネットワークは、特に、ローカルエリアネットワーク（ＬＡＮ）、ＤＳＬネットワーク、及びケーブルネットワークを含む。無線ネットワークは、特に、セルラー電話ネットワーク、従来の地上携帯ラジオネットワーク、及び衛星放送ネットワークを含む。これらの無線ネットワークは、一般的に広域ネットワークとして特徴付けられる。更に最近、無線ローカルエリアネットワーク及び無線ホームネットワークが提案され、それらのローカルエリアネットワークのために必要な無線装置の開発を管理するブルートゥース（Ｂｌｕｔｏｏｔｈ）、及び、８０２．１１等の規格が導入された。
【０００４】
ＷＬＡＮは、一般的に赤外（ＩＲ）又は無線周波数（ＲＦ）通信チャンネルを用いて、携帯又は可動コンピュータ端末と、据え置きアクセスポイント又は基地局の間を通信する。これらのアクセスポイントは、有線又は無線通信チャンネルによって、場合により１つ以上のホストコンピュータシステムを含むアクセスポイントの群を一緒に接続してＬＡＮを形成する、ネットワークインフラストラクチャーに接続される。
【０００５】
ブルートゥース及びＩＥＥＥ８０２．１１などの無線プロトコルは、さまざまな種類の通信能力を有するそれらの携帯ローミング端末のホストコンピュータへの論理的相互接続をサポートする。論理的相互接続は、少なくともいくつかの端末が予め定めた範囲内に位置するとき、少なくとも２つのアクセスポイントと通信可能であるインフラストラクチャーに基づき、各端末は通常単一のアクセスポイントに結合し連絡している。最も効率的に通信を制御するように、全体的な空間配置、応答時間及びネットワークの負荷要求に基づいて、異なるネットワーク体系及び通信プロトコルが設計された。
【０００６】
ＩＥＥＥ規格８０２．１１（「８０２．１１」）は「無線ＬＡＮ媒体アクセス制御（ＭＡＣ）及び物理層（ＰＨＹ）規格」中に設けられ、Ｐｉｓｃａｔａｗａｙ、Ｎ．Ｊ．のＩＥＥＥ規格部から入手可能である。８０２．１１は、１Ｍｂｐｓ、２Ｍｂｐｓ及びそれ以上のデータ速度でのＩＲ又はＲＦのいずれかの通信、キャリアセンス多重アクセス／衝突回避（ＣＳＭＡ／ＣＡ）に類似した媒体アクセス技術、バッテリー駆動可動局の節電モード、完全セルラーネットワークにおけるシームレスローミング、高処理量動作、「死点」を除くように設計されたダイバースアンテナシステム、及び既存のネットワークインフラストラクチャーへの容易なインターフェースを可能にする。
【発明の開示】
【発明が解決しようとする課題】
【０００７】
通信デバイスは、機能を拡大させながら、より小さくなっているので、バッテリー寿命及び節電モードから急速に復帰する能力は、設計において大きな課題である。したがって、産業界は、これまで対処できなかった前述の欠点及び不十分さに対処する必要がある。
【課題を解決するための手段】
【０００８】
本開示の実施形態は、より多く節電するためのマルチポール指示（ｍｕｌｔｉ−ｐｏｌｌ  ｉｎｄｉｃａｔｉｏｎ）のためのシステムと方法とを提供する。簡単に述べれば、システムの一実施形態はアーキテクチャーにおいて、特に第１の節電マルチポール（ＰＳＭＰ：ｐｏｗｅｒ  ｓａｖｅ  ｍｕｌｔｉ−ｐｏｌｌ）フレームを受け取るように構成されたプロセッサーとして実施することができ、第１のＰＳＭＰフレームは、結合するクライアント局がネットワーク中で起動してもよい期間と、より多くのＰＳＭＰ指示とを含み、より多くのＰＳＭＰ指示は、期間の終りに後続のＰＳＭＰフレームが続くかどうかを示す（ｉｎｄｉｃａｔｅｓ）。
【０００９】
また、本開示の実施形態は、より多く節電するためのマルチポール指示のための方法を提供することと考えることができる。これに関して、それらの方法の一実施形態は、特に、以下のステップによっておおまかに要約することができる。第１の節電マルチポール（ＰＳＭＰ）フレームを受け取り、第１の節電マルチポール（ＰＳＭＰ）フレームから、付属するクライアント局がネットワーク中で起動してもよい期間の指示と、その期間の終りに後続のＰＳＭＰフレームが続くかどうかを示す、より多くのＰＳＭＰ指示の指示と、を決定すること。
【発明を実施するための最良の形態】
【００１０】
本開示の他のシステム、方法、特徴、及び利点は、当業者であれば、以下の図面と詳細説明を検証することによって明らかになるであろう。追加のシステム、方法、特徴、及び利点の全てが本明細書内に含まれており、本開示の範囲内であり、結合する請求項によって保護されることが意図される。
【００１１】
本開示の多くの態様は、以下の図面を参照することによってより良好に理解することができる。図面の部品は必ずしも尺度を持たず、替わりに本開示の原理を明瞭に示すために誇張される。更に、図面において、同じ参照番号はいくつかの図を通して同じ部品を表す。
【００１２】
本明細書には、さまざまな通信システム及び方法の実施形態が開示される。それらの通信システムは、１つの例示的実施形態において、より多く節電するためのマルチポール指示の交換を可能にする、１つのアクセスポイントと１つ以上のクライアントデバイスとを含む。携帯ＷＬＡＮクライアントのバッテリー寿命を節約するために、８０２．１１規格は、クライアントデバイス上の節電動作を提供する。節電動作は、ＭＡＣ層プロセッサーなどの任意の種類のプロセッサーにおいて行うことができるが、ＭＡＣ層プロセッサーに制限されず、特に、デジタル信号プロセッサー（ＤＳＰ）、マイクロプロセッサ−ユニット（ＭＣＵ）、汎用プロセッサー、及び特定用途集積回路（ＡＳＩＣ）を非制限的に含む。より多くのＰＳＭＰ指示の交換を提供する通信システムのある種の実施形態は、本明細書において８０２．１１ｎシステムの文脈で説明されるので、開示されたシステム及び方法が他の通信システムにも同様に適用できることを理解して、無線ＬＡＮ（ＷＬＡＮ）における８０２．１１及び層の説明が簡単に行われる。
【００１３】
ＩＥＥＥ８０２．１１ｎ（「８０２．１１ｎ案」）は、５ギガヘルツ（ＧＨｚ）での８０２．１１ａ規格と２．４ＧＨｚでの８０２．１１ｇ規格の高速データレートを拡大したものである。これら両方の規格とも直交周波数分割多重化（ＯＦＤＭ）を用い、これは情報を運ぶのに多重の並列トーン（ｔｏｎｅ）を用いる信号化体系である。これらのトーンは、通常サブキャリアと呼ばれる。現在、８０２．１１ｎ案は提案のみであり、まだ完全に決定された規格ではないことに留意すべきである。他の応用可能な規格はブルートゥース、ｘＤＳＬ、８０２．１１の他の部分などを含む。データ速度を高めるために８０２．１１ｎは、より多くのＰＳＭＰ指示の使用を考えている。
【００１４】
ＩＥＥＥ８０２．１１は、無線ＬＡＮに関し、特にＭＡＣ及びＰＨＹ層を規定する。これらの層は、ＯＳＩのＩＳＯ基本参照モデルに基づくシステムの２つの最下層、すなわち、データリンク層及び物理層に密接に対応することが意図されている。図１は、通信ネットワークにおける層間の情報交換を記述するために、国際標準化機構（ＩＳＯ）によって開発されたオープンシステム間相互接続（ＯＳＩ）の層モデル１００の概要図を示す。ＯＳＩ層化モデル１００は、各層の技術的機能を分離するのに特に有用であり、それによって、隣接層へ悪い影響を与えずに、所与の層の修正又は更新が容易となる。
【００１５】
最下層で、ＯＳＩモデル１００は、特定の媒体を通って伝送される信号のエンコード及びデコードを行う、物理層又はＰＨＹ層１０２を有する。ＰＨＹ層１０２上に、ＰＨＹ層１０２とネットワーク層１０６の適切なインターフェースを行いながら、ネットワーク上にデータの高信頼性伝送を提供するためのデータリンク層１０４が決定される。ネットワーク層１０６は、ノードに接続されたユーザー間の通信リンクを開始し、維持し、終了するために、ネットワーク中のノード間のデータルーティングを行う役割を有する。トランスポート層１０８は、特定のレベルのサービス品質内でデータ伝送を行う役割を有する。セッション層１１０は、一般にユーザーがデータを送信し受信できるときの制御に関与する。プレゼンテーション層１１２は、媒体を通して発信されるデータを翻訳、変換、圧縮、及び解凍する役割を有する。最終的に、アプリケーション層１１４は、ネットワークにアクセスし接続するための適切なインターフェースを、ユーザーに提供する。
【００１６】
ＯＳＩモデル１００は、図２に示すように、例えば、２つのクライアント局１２０、１３０とアクセスポイント（ＡＰ）１４０との間の伝送に用いることができる。通信システム２００の実施形態は、より多くのＰＳＭＰ指示を提供するものが示され、１つの実施形態において、基本サービスセット（ＢＳＳ）として構成される。ＢＳＳは、互いに通信するクライアント局１２０、１３０などの８０２．１１クライアント局の一群である。ＡＰ１４０は、通信システム２００のＢＳＳクライアント局１２０、１３０における全てのクライアント局用の通信の中央ポイントであり、ＡＰ１４０は、ＡＰ１４０を経由してクライアント局１２０、１３０間のデータストリームを送信し受信するための、トランシーバーを含むことができ、受信及び／又は送信するための複数のアンテナを含むことができる。クライアント局１２０、１３０、及びＡＰ１４０は、必ずしも同じ数のアンテナを持たない。クライアント局１２０、１３０及びＡＰ１４０は、非制限的な例として、時間分割多重アクセス（ＴＤＭＡ）プロトコル又は衝突回避を備えるキャリアセンス多重アクセス（ＣＳＭＡ／ＣＡ）プロトコル、又は同上及び／又は他のプロトコルの組み合わせを用いて送信することができる。この実施例には２つのクライアント局だけが示されるが、開示されたＭＰＳＭＰ指示の原理は、より多くのデバイスを備える大きなネットワークにも適用可能である。
【００１７】
いくつかの実施形態において、各クライアント局１２０、１３０、及びＡＰ１４０は、より多くのＰＳＭＰ機能に加えて、節電動作を行うように構成されたＰＨＹ信号プロセッサーを含む。すなわち、各ＰＨＹ信号プロセッサーは、単独で、又は他の論理回路又は部品と組み合わせて、さまざまな実施形態の機能を実行する。節電機能動作及び／又はより多くのＰＳＭＰの機能は無線ラジオ、又は他の通信デバイスにおいて実施することができる。それらの通信デバイスは、コンピュータ、（デスクトップ、携帯、ラップトップ等）、消費者電子デバイス（例えば、マルチメディアプレーヤー）、互換性テレコミュニケーションデバイス、個人情報端末（ＰＤＡ）、又はプリンター、ファックス機械、スキャナー、ハブ、スイッチ、ルーター、セットトップボックス、通信能力のあるテレビジョンなどの任意の他のネットワークデバイスを含んで、多くの無線通信デバイスを含んでもよい。
【００１８】
一実施形態において、節電（ＰＳ：ｐｏｗｅｒ  ｓａｖｅ）動作は、例えば、クライアント局トランシーバーを停止することによって、低電力モードに入るクライアント局１２０を含むことができる。ＡＰ１４０は、クライアント局１２０が節電モード状態に有る場合において、クライアント局１２０にアドレスされたフレームをバッファリング（ｂｕｆｆｅｒ）する。所与の間隔で、クライアント局１２０は起動され、クライアント局１２０のためのフレームがバッファリングされているかどうかを示すビーコンを、ＡＰ１４０から受信する。
【００１９】
マルチポール解決策は、チャンネルのアクセス機構であり、各クライアント局１２０、１３０に個々にアドレスする替わりに、ブロードキャスト又はマルチキャスト受信機アドレスを用いて、ビーコン（又はポール）が複数のクライアント局１２０、１３０に同時に（逐次的ではなく）送られる。マルチポール解決策は、各ポーリングされたクライアント局１２０、１３０のための時間スロットを含むことができ、その間にそれらは、送信及び／又は受信しなければならない。言い換えれば、マルチポールＡＰ１４０は、複数のクライアント局を同時にポーリングする。マルチキャスト／ブロードキャスト節電動作は、ＡＰ１４０のビーコンによって通知される、決定されたＡＰ間隔を用いることができる。例えば、クライアント局１２０は起動され、ビーコンフレームを聞き、フレームがバッファリングされているかどうかを決定する。ＡＰ１４０が実際にクライアント局１２０のためにバッファリングされたフレームを有するならば、クライアント局１２０は、フレームのためにＡＰ１４０をポーリングする。ＡＰ１４０が、バッファリングされたフレームを有さなければ、クライアント局１２０は、起動間隔まで低電力モードに戻る。
【００２０】
クライアント局１２０が、ブロードキャスト動作において、ＡＰ１４０に結合するとき、管理者は結合要請フレーム中の受信間隔値を特定する。聴取間隔は、クライアント局１２０が起動モードに移る前に待機するビーコンの数である。例えば、２００の受信間隔は、クライアント局１２０が２００個のビーコン毎に節電モードから起動することを示す。ビーコンフレームは、トラフィックインディケーションマップ（ＴＩＭ）情報要素を含む。要素は、ＡＰ１４０でバッファリングされたトラフィックを有する全ての結合識別（ＡＩＤ）のリストを含む。一実施形態において、２，００８までの独特のＡＩＤが存在することができ、ＴＩＭ要素は単独で２５１バイトまで存在することができる。
【００２１】
ネットワークのオーバーヘッド(ｏｖｅｒ  ｈｅａｄ)を最小にするために、ＴＩＭは、ＡＩＤの短縮リスト方法を用いることができる。クライアント局１４０のＡＩＤは、プロトコルのデコーディング動作には明確に記述されていない。クライアント局１２０のＡＩＤを決定するために、以下の情報の非制限的な例を用いることができる。リンクフィールドの値、ビットマップオフセットフィールドの値、及び／又は、部分的仮想ビットマップフィールドの値。ＩＥＥＥ８０２．１１は、どのクライアント局ＡＩＤがバッファリングされたフレームを有するかを指示する機構として、トラフィック指示仮想ビットマップを特定する。一実施形態において、仮想ビットマップは、ＡＩＤ１からＡＩＤ２００７に及ぶ。ＡＩＤ０は、マルチキャスト／ブロードキャストのために保存される。更に、ＤＴＩＭとして知られる特定のＴＩＭ情報要素は、ブロードキャスト又はマルチキャストトラフィックがＡＰ１４０でバッファリングされるかどうかを指示する。
【００２２】
部分的仮想ビットマップは、要約することによって、全ての不要なゼロフラッグ値を省く。バッファリングされたフレームを有する（したがって、トラフィック指示仮想ビットマップにおいてフラッグ値１を有する）全てのクライアント局１２０、１３０は、部分的仮想ビットマップに含まれる。部分的仮想ビットマップに導くフラッグ値ゼロを有する全てのＡＩＤは、「Ｘ」と呼ばれる誘導値によって要約される。クライアント局１２０は、ＰＳ−ポールフレームをＡＰ１４０に送って、ＡＰ１４０上に任意のバッファリングされたフレームを要求する。ＡＰ１４０は、バッファリングされたクライアント局のフレームの１つ、及び複数のフレームがバッファリングされているかどうかの指示を、ＰＳポールフレームに応答する。
【００２３】
ブロードキャスト及びマルチキャストフレームは、１つ以上の節電クライアント局がＡＰ１４０に結合されている場合、通信システム２００における全てのクライアント局（非節電クライアント局を含んで）のためにバッファリングされる。一実施形態において、ＴＩＭは、マルチキャスト／ブロードキャストトラフィックがバッファリングされているかどうか、及びバッファリングされたトラフィックがＢＳＳに送達されるまでどのくらい長いかを指示する２つのフィールド、ＤＴＩＭ計数フィールド及びＤＴＩＭ期間フィールドを有する。ＤＴＩＭ計数フィールドは、バッファリングされたフレームの送達まで、いくつのビーコンであるかを指示する。ゼロの値は、ＴＩＭがＤＴＩＭであることを指示し、バッファリングされたフレームが存在する場合、それらは直ちにビーコンに従って送信される。ＤＴＩＭ期間フィールドは、ＤＴＩＭの間のビーコンの数を指示する。たとえば、１０の値は、１０個毎のビーコンがＤＴＩＭを含むであろうことを示す。
【００２４】
図３は、ダウンリンク期間とアップリンク期間とによって時間的に分離されたＰＳＭＰフレームの流れを提供する。図３を参照すれば、チャンネルアクセス効率と節電能力との両方を向上させるために設計された、より多く節電するためのマルチポール（ＭＰＳＭＰ）指示を提供するための通信システム２００の実施形態の機能が示される。各アドレス目的地について、ＰＳＭＰフレーム（マルチポールフレーム）は、クライアント局１２０がトラフィック（ダウンリンク期間又はＤＬＴ）を受け取る期間、及び、クライアント局１２０が送信できる期間（アップリンク期間又はＵＬＴ）を提供する。他の任意の時間に、クライアント局１２０は、次のＰＳＭＰが到着するまで節電状態（ｓｌｅｅｐ）に入り、エネルギーを節約することができる。
【００２５】
図５を参照すれば、例示的実施形態のＰＳＭＰフレームフォーマット５００が提供される。ビット５１０は、この実施形態において６ビットであり、予備とされていても良い。ビット５２０は、ＭＰＳＭＰである。ビット５３０は、この実施形態において９ビットであり、記述子（ｄｅｓｃｒｉｐｔｏｒ）目的のビットである。ビット５４０は、局情報ビットである。
【００２６】
局情報ビット５４０は、図６に更に詳細に提供される。例示的実施形態の局情報フォーマット６００は、制限されることなく、トラフィック識別／トラフィック流れ識別６１０のための８ビット、局識別６２０のための１６ビット、ダウンリンク時間開始オフセット６３０のための１０ビット、ダウンリンク期間６４０のための１０ビット、アップリンク期間開始オフセット６５０のための１０ビット、及びアップリンク期間６６０のための１０ビットを含む。
【００２７】
いくつかの実施形態において、アップリンク期間は、例えば、効率上の理由から、ダウンリンク期間の後に計画されてもよい。ＭＰＳＭＰ指示方法は、類似の機能がＡＰにおいて実施できることを理解して、クライアントにおけるＰＨＹ信号プロセッサーの観点から以下に説明する。ＭＰＳＭＰ指示方法の一実施形態は、ＰＳＭＰフレームに、現在のＰＳＭＰフレームに記述されたアップリンク及びダウンリンク期間の終りに、他のＰＳＭＰフレームが続く（又は計画する）かどうかを、図３に示したように「より多くのＰＳＭＰ」指示３１０ａ、３１０ｂによって指示することを可能とする。ＭＰＳＭＰ指示３１０ａ、３１０ｂが設定された場合、クライアント局１２０は、このＰＳＭＰの計画されたアップリンク期間及びダウンリンク期間の後直ちに起動し、次のＰＳＭＰを受け取ることを知る。
【００２８】
ＭＰＳＭＰ指示３１０、３１０ｂを用いて、ＡＰ１４０は、現在の送受信期間の間に新しいトラフィックを受け取り、承認などの応答トラフィックを発生させ、又は、現在のＰＳＭＰ計画がいつ発生したのかについてＡＰ１４０が知らなかったいくつかのフレームを、再送信する必要があることを見出すことができる。ＭＰＳＭＰ指示３１０ａは、新しく発生した（又は受け取った）トラフィックの読み取りを可能にする簡単な機構である。
【００２９】
図３に示すように、一般に各ＰＳＭＰ期間は、前のそのものよりも短い。ＭＰＳＭＰ指示３１０ａ、３１０ｂは、他のＰＳＭＰ３１０ａ、３２０がそれぞれ計画されたアップリンク期間（ＵＬＴ）とダウンリンク期間（ＤＬＴ）の後に続くことを指示する。最終指示３２０のように指示が設定されていないとき、現在のＰＳＭＰフレームは、手順において最終ＰＳＭＰであり、クライアント局１２０はアップリンク期間の終わりに起動する必要がない。
【００３０】
図４は、ＭＰＳＭＰ指示４００の方法のフロー図である。ブロック４１０において、ＰＳＭＰフレームは、例えばクライアント１２０によって受け取られる。ブロック４２０において、ＰＳＭＰフレームにおける指示部が決定される。指示部は、送信、受信、及び／又は送受信期間４３０及びＭＰＳＭＰ指示４４０を含む。送信期間４３０は、結合する送信機が送信できる期間を指示する。ＭＰＳＭＰ指示４４０は、後続のＰＳＭＰフレームが送信及び受信期間４３０の後に続くかどうかを指示することができる。例示的実施形態において、ＰＳＭＰがいくつかの局のための起動時間を指示し、より多くのＰＳＭＰビットが設定されたならば、各個別の起動時間の後に他のＰＳＭＰは存在せず、最後のものの後だけに存在する。
【００３１】
ＭＰＳＭＰ指示の方法の一例示的実施形態において、ＰＳＭＰは、それが最終ＰＳＭＰであるかどうかを指示することができる。他の例示的実施形態において、次のＰＳＭＰが存在すると仮定する。しかし、より多くのＰＳＭＰ指示が空であるとき、より多くのＰＳＭＰ指示の不足は、暗黙にＰＳＭＰが最終のＰＳＭＰであることを示す。しかし、より多くのＰＳＭＰ指示なしで、受信されたアップリンクデータの再送信と承認とは、次の計画（又は未計画）のＰＳＭＰ期間まで延期される。より多くのＰＳＭＰ指示が用いられるとき、再送信及び承認は、ＰＳＭＰフレームの単一シーケンスの部分として送信されてもよい。
【００３２】
本開示の実施形態は、クライアント局１２０、１３０、及びＡＰ１４０においてハードウェア、ソフトウェア、ファームウェア、又は、その組み合わせによって実施される。例示的実施形態において、ＭＰＳＭＰ指示は、メモリーに記憶され適切な命令実施システムによって実行されるソフトウェア又はファームウェアにおいて実施される。代替の実施形態としてハードウェアにおいて実施されるならば、ＭＰＳＭＰ指示は、データ信号に基づいて論理機能を実施するための論理ゲートを有する個別の論理回路、適切な組み合わせ論理ゲートを有する用途特定集積回路（ＡＳＩＣ）、プログラム可能なゲートアレイ（ＰＧＡ）、フィールドプログラム可能なゲートアレイ（ＦＰＧＡ）等の当技術分野に既知の以下の任意の技術又はその組み合わせによって実施することができる。
【００３３】
フロー図中の任意の工程説明又はブロックは、特定の論理機能又は工程中のステップを実施するための１つ以上の実行可能な命令を含むコードの代表的なモジュール、セグメント、又は部分であると理解されるべきであり、当業者であれば理解されるであろう関係する機能に応じて、本開示とは実質的に同じ又は逆の順序を含んで、示された又は議論された順序から外れて機能が実現されるであろう代替の実施方法は、本開示の例示的実施形態の範囲内に含まれる。
【００３４】
ＭＰＳＭＰ指示のいくつかの方法の実施形態は、論理的機能を実施するための実行命令の順序付けられたリストを含み、コンピュータ系システム、プロセッサーを含むシステム、又は、命令実行システム、装置、又は、デバイスから命令を取り出し命令を実行することのできる他のシステムなどの命令実行システム、装置、デバイスによって用いるための媒体、又は、それらを組み合わせて用いるための任意のコンピュータ可読媒体において実施することができる。この文献の文脈において、「コンピュータ可読媒体」は、命令実行システム、装置、又はデバイスによって又は組み合わせて用いるためのプログラムを収容し、記憶し、通信し、伝播し、又は、移動可能なあらゆる手段とすることができる。コンピュータ可読媒体は、例えば、制限することなく、電子的、磁気的、光学的、電磁気的、赤外、又は半導体系、装置、デバイス、又は伝播媒体とすることができる。
【００３５】
コンピュータ可読媒体の更に特定の実施例（非網羅的）のリストは、１つ以上のワイヤを有する電気的接続（電子）、携帯コンピュータディスケット（磁気）、ランダムアクセスメモリー（ＲＡＭ）（電子）、リードオンリーメモリー（ＲＯＭ）（電子）、消去可能プログラム可能リードオンリーメモリー（ＥＰＲＯＭ又はフラッシュメモリー）（電子）、光ファイバー（光学）、携帯ディスクリードオンリーメモリー（ＣＤＲＯＭ）（光学）等を含む。更に、本開示の範囲は、ハードウェア又はソフトウェアで構成された媒体において実施される論理における本開示の例示的実施形態の機能の実施を含む。
【００３６】
例示的実施形態は、以下を含む。
【００３７】
（Ａ）第１の節電マルチポール（ＰＳＭＰ）フレームを受信するように構成されたプロセッサーと、を含む、装置であって、
第１のＰＳＭＰフレームは、
結合するクライアント局がネットワーク中で起動してもよい期間と、
その期間の終りに後続のＰＳＭＰフレームが続くかどうかを示す、より多くのＰＳＭＰ指示と、を含む、
装置。
【００３８】
（Ｂ）より多くのＰＳＭＰ指示が設定された場合、プロセッサーは期間の終りに後続のフレームを受信する準備をする、請求項Ａの装置。
【００３９】
（Ｃ）後続のＰＳＭＰフレームが、最終ＰＳＭＰフレームであることを後続のＰＳＭＰフレームが指示する、請求項Ａに記載の装置。
【００４０】
（Ｄ）装置が、ラジオ、コンピュータ、マルチメディアプレーヤー、携帯個人情報端末、プリンター、ファックス機械、スキャナー、ハブ、スイッチ、ルーター、セットトップボックス、及び、テレビジョンの内の１つである、請求項Ａに記載の装置。
【００４１】
（Ｅ）指示された送信期間中に送信するための送信機と、指示された受信期間中に受信するための受信機と、及び、送受信期間中に送受信するための送受信機と、の内の１つ以上を更に含む、請求項Ａに記載の装置。
【００４２】
（Ｆ）期間は、送信期間、受信期間、送受信期間の内の１つである、請求項Ａに記載の装置。
【００４３】
（Ｇ）第１のＰＳＭＰフレームがいくつかのクライアント局のための起動時間を指示し、より多くのＰＳＭＰビットが設定された場合、各個々の起動時間の後に他のＰＳＭＰが存在せず、最終起動時間後にのみ存在する、請求項Ａに記載の装置。
【００４４】
（Ｈ）第１の節電マルチポール（ＰＳＭＰ）フレームを受信し、
第１のＰＳＭＰフレームから、
結合するクライアント局がネットワーク中で起動してもよい期間の指示と、
その期間の終りに後続のＰＳＭＰフレームが続くかどうかを示す、より多くのＰＳＭＰ指示と、を決定する、
ことを含む、方法。
【００４５】
（Ｉ）ＰＳＭＰからより多くのＰＳＭＰ指示が決定された場合、期間の終りに後続のフレームの受信を準備する、ことを更に含む、請求項Ｈに記載の方法。
【００４６】
（Ｊ）後続のＰＳＭＰフレームが最終ＰＳＭＰフレームであるかどうかを決定する、ことを更に含む、請求項Ｈに記載の方法。
【００４７】
（Ｋ）第１のＰＳＭＰの受信は、
ラジオ、コンピュータ、マルチメディアプレーヤー、携帯個人情報端末、プリンター、ファックス機械、スキャナー、ハブ、スイッチ、ルーター、セットトップボックス、及び、テレビジョンの内の少なくとも１つにおいて第１のＰＳＭＰを受信する、ことを含む、請求項Ｈに記載の方法。
【００４８】
（Ｌ）指示された送信期間中送信する、指示された受信期間中受信する、及び、指示された送受信期間中送受信する、ことの内の１つ以上を更に含む、請求項Ｈに記載の方法。
【００４９】
（Ｍ）期間は、送信期間、受信期間、送受信期間の内の１つである、請求項Ｈに記載の方法。
【００５０】
（Ｎ）第１の節電マルチポール（ＰＳＭＰ）フレームを受信するように構成された論理と、
第１のＰＳＭＰフレームから、
結合するクライアント局がネットワーク中で起動してもよい期間の指示と、
その期間の終りに後続のＰＳＭＰフレームが続くかどうかを示す、より多くのＰＳＭＰ指示と、を決定するように構成された論理と、
を含む、コンピュータ可読媒体。
【００５１】
（Ｏ）ＰＳＭＰからより多くのＰＳＭＰ指示が決定された場合、期間の終りに後続のフレームの受信を準備するように構成された論理と、を更に含む、請求項Ｎに記載のコンピュータ可読媒体。
【００５２】
（Ｐ）後続のＰＳＭＰフレームが最終ＰＳＭＰフレームであるかどうかを決定するように構成された論理と、を更に含む、請求項Ｎに記載のコンピュータ可読媒体。
【００５３】
（Ｑ）第１のＰＳＭＰを受信するように構成された論理は、
ラジオ、コンピュータ、マルチメディアプレーヤー、携帯個人情報端末、プリンター、ファックス機械、スキャナー、ハブ、スイッチ、ルーター、セットトップボックス、及び、テレビジョンの内の少なくとも１つにおいて第１のＰＳＭＰを受信するように構成された論理を含む、請求項Ｎに記載のコンピュータ可読媒体。
【００５４】
（Ｒ）指示された送信期間中に送信するように構成された論理と、指示された受信期間中に受信するように構成された論理と、及び、指示された送受信期間中に送受信するように構成された論理と、の内の１つ以上を更に含む、請求項Ｎに記載のコンピュータ可読媒体。
【００５５】
（Ｓ）期間は、送信期間、受信期間、送受信期間の内の１つである、請求項Ｎに記載のコンピュータ可読媒体。
【００５６】
本開示の上述の実施形態は、主として本開示の原理の理解を明確にするために記載された実施の可能性のある実施例に過ぎないことが理解されるべきである。本開示の精神と範囲から実質的に逸脱することなく、多くの変更及び修正を本開示の上述の実施形態に加えることができる。それらの修正及び変更の全てはこの開示及び本開示の範囲内に含まれ、以下の請求項によって保護されることが意図される。
【図面の簡単な説明】
【００５７】
【図１】図１は、データ伝送のためのオープンシステム間相互接続（ＯＳＩ）層モデルのブロック図である。
【図２】図２は、図１のＯＳＩモデルを用いた２つの局と１つのアクセスポイント（ＡＰ）を含む、通信システムの例示的実施形態の図である。
【図３】図３は、図２の通信システムにおける、伝送の連続的な節電マルチポール（ＰＳＭＰ）フレームのブロック図である。
【図４】図４は、図２の通信システムのより多くのＰＳＭＰ指示を含む方法の実施形態のフロー図である。
【図５】図５は、図２の通信システムのより多くのＰＳＭＰ指示の例示的実施形態のためのＰＳＭＰフレームフォーマット図である。
【図６】図６は、図５のＰＳＭＰフレームのための局情報フィールドフォーマットの例示的実施形態の図である。
【図１】
2009521187.tif 000002
【図２】
2009521187.tif 000003
【図３】
2009521187.tif 000004
【図４】
2009521187.tif 000005
【図５】
2009521187.tif 000006
【図６】
2009521187.tif 000007
【国際調査報告】
2009521187.tif 000008